(57)【要約】【課題】フラットベッドタイプのインクジェットプリンタにおいて、フラットベッド上で位置決めし固定して、印刷可能なサイズのテープ状物の被印刷物に効率良く印刷を施すことを可能としたインクジェットプリンタのテープ状物の印刷方法。【解決手段】インクジェットプリンタ１のフラットベッド３上に被印刷物５を位置決め固定し、フラットベッド３がプリントヘッド４の往復移動する方向と直交する方向に移動するフラットベッドタイプのインクジェットプリンタ１において、フラットベッド３上に位置決めされる長さのテープ状の被印刷物５を、プリントヘッド３の移動方向と平行してフラットベッド３上に位置決めして固定し印刷する。【選択図】図１
2005022331.tif 000002
【特許請求の範囲】
【請求項１】
インクジェットプリンタのフラットベッド上に被印刷物を位置決めして固定し、フラットベッドがプリントヘッドの往復移動する方向と直交する方向に移動するフラットベッドタイプのインクジェットプリンタにおいて、前記フラットベッド上に位置決めされる長さのテープ状の被印刷物を、プリントヘッドの移動方向と平行してフラットベッド上に位置決めして固定し、印刷することを特徴とするインクジェットプリンタのテープ状物の印刷方法。
【発明の詳細な説明】
【０００１】
【発明の属する技術分野】
本発明は、フラットベッドタイプのインクジェットプリンタで、フラットベッド上に位置決めされる長さのファスナー、布製テープ等のテープ状物の被印刷物の印刷方法に関するものである。
【０００２】
【従来の技術】
テープ状物の被印刷物をインクジェットプリンタで印刷する時は、従来は特開２０００−７１９９号公報に示されるように、インクジェットプリンタで印刷加工部であるインクジェットノズルを有するプリントヘッドの下に略水平に被印刷物である長尺帯状物の搬送路を有し、搬送路には複数本の長尺帯状物が互いに平行に繰出しボビンから繰り出され、送り装置により保持され、各々所定速度で送られ、プリントヘッドが長尺帯状物の進行方向と直交する方向へ往復移動し、一度に印刷を施している。
【０００３】
一方、フラットベッドタイプのインクジェットプリンタは、テープ状物の被印刷物をフラットベッド上に位置決めして動かないように固定し、フラットベッドがプリントヘッドの往復移動する方向と直交する方向に移動し、被印刷物に印刷を施すが、このフラットベッドタイプのインクジェットプリンタにおいては、被印刷物はテープ状であっても、フラットベッド上に位置決めされる長さに限られているのである。
【０００４】
そして、従来のフラットベッドタイプのインクジェットプリンタにおけるテープ状物の印刷方法は、被印刷物がフラットベッド上で位置決めされ、印刷可能なサイズのテープ状物の場合、図２に示すようにインクジェットプリンタ１０のフラットベッド３０上にフラットベッド３０の移動方向（Ｘ方向）と平行して、一定の間隔をおいて互いに平行に複数本の被印刷物５０を位置決めして接着用テープ６０でフラットベッド３０上に固定し、印刷加工部２０に装着されているプリントヘッド４０がフラットベッド３０の移動方向（Ｘ方向）と直交する方向（Ｙ方向）へ往復移動し、一度に印刷を施していた。
【０００５】
しかし、この印刷方法は、プリントヘッド４０が被印刷物５０の長手方向と直交する方向（Ｙ方向）へ移動し印刷するため、被印刷物一本の幅分だけ印刷する毎に、間隔分の印刷を停止しなければならず、断続的で非常に効率が悪く、特に長さの限られた被印刷物では時間的ロスが大きいという問題点を有していたのである。
【０００６】
【発明が解決しようとする課題】
上記点より本発明は、フラットベッドタイプのインクジェットプリンタにおいて、フラットベッド上で位置決めし固定して印刷可能なサイズのテープ状物の被印刷物に効率良く印刷を施すことを可能としたインクジェットプリンタのテープ状物の印刷方法を提供しようとするものである。
【０００７】
【課題を解決するための手段】
上記課題を解決するため本発明インクジェットプリンタのテープ状物の印刷方法は、インクジェットプリンタのフラットベッド上に被印刷物を位置決めして固定し、フラットベッドがプリントヘッドの往復移動する方向と直交する方向に移動するフラットベッドタイプのインクジェットプリンタにおいて、前記フラットベッド上に位置決めされる長さのテープ状の被印刷物を、プリントヘッドの移動方向と平行してフラットベッド上に位置決めして固定し、印刷することを特徴とするものである。
【０００８】
このような方法とすることにより、フラットベッド上に位置決めされる長さのテープ状物の被印刷物は、プリントヘッドの移動方向と平行してフラットベッド上に位置決めして固定されるので、プリントヘッドは被印刷物の長手方向に往復移動し、被印刷物一本分を途中で移動を停止することなく連続して印刷を施す。
したがって、被印刷物が複数本互いに平行して並列されていると、一本の印刷を終え、次の被印刷物に移行する時にのみ印刷が停止するだけであるから、非常に効率良く印刷を施すことができる。
【０００９】
【発明の実施の形態】
以下、本発明の一実施の形態を図面に基づき説明する。
図１は本発明方法の一実施の形態を示す斜視図である。
図中１はインクジェットプリンタであり、このインクジェットプリンタ１は印刷加工部２が門型に形成され、この印刷加工部２の下方に上面がフラットな面のフラットベッド３が水平に門をくぐる方向（Ｘ方向）に移動可能に設けられている。
【００１０】
又、印刷加工部２にインクジェットノズル（図示せず）を有するプリントヘッド４がフラットベッド３の移動方向を横切る方向（Ｙ方向）に往復移動可能に装着されている。
５はテープ状物の被印刷物であり、被印刷物５はフラットベッド３上で位置決め固定して印刷可能な長さ（フラットベッド３の移動方向と直交する方向のフラットベッド幅内に納まる長さ）のファスナー、布製テープ等のテープ状物が対象となる。
【００１１】
次に、印刷を行う場合は、テープ状の被印刷物５をフラットベッド３上でプリントヘッド４の移動方向と平行となるように位置決めして被印刷物５の両端部を接着用テープ６等でフラットベッド３上に固定する。
固定手段は接着用テープ６に限定されるものではない。同一サイズの被印刷物５が複数本の時は、一定の間隔で互いに平行に並列する。
【００１２】
そして、プリントヘッド４が被印刷物５上を、被印刷物５の長手方向に往復移動（Ｙ方向）し、一本目の被印刷物５の印刷を途中停止することなく終えると、フラットベッド３が被印刷物５の間隔分だけ移動（Ｘ方向）し、プリントヘッド４は二本目の被印刷物５の印刷を開始する。
以下、同様にして並列された複数本の被印刷物５に印刷が施される。
【００１３】
【発明の効果】
本発明印刷方法によれば、フラットベッド上に位置決めされる長さのファスナー、布製テープ等のテープ状物の被印刷物を、プリントヘッドの移動方向と平行してフラットベッド上に位置決めして固定されるので、プリントヘッドは被印刷物の長手方向に往復移動し、被印刷物一本分を途中で移動を停止することなく連続して効率良く印刷を施すことができる。
そして、一本の印刷を終え、次の被印刷物に移行する時にのみ印刷が停止するだけであるから、従来のように被印刷物一本の幅分だけ印刷する毎に印刷を停止するのに比べ、印刷の効率がよく、時間的にロスがないので作業能率が格段に向上するものである。
【図面の簡単な説明】
【図１】本発明方法の一実施の形態を示す斜視図である。
【図２】従来の発明方法の一実施の形態を示す斜視図である。
【符号の説明】
１  インクジェットプリンタ
２  印刷加工部
３  フラットベッド
４  プリントヘッド
５  被印刷物
６  接着用テープ
【図１】
2005022331.tif 000003
【図２】
2005022331.tif 000004